(57)【特許請求の範囲】
【請求項１】
施術者が把持するための柄と、
上記柄の先端に形成された基部と、
上記基部から上方に向けて延長されてなり、複数本に亘って並設された櫛歯とを備え、
上記基部は、上記並設方向に沿って理美容用鋏の静刃を支持するための支持部が設けられ、
上記支持部は、上記基部の側面から外側へ延長された支持片であり、
上記基部の側面と上向きに延長された上記支持片との間で形成された溝に上記理美容用鋏の静刃を遊嵌又は嵌合させることにより支持可能としており、
上記溝は、上記並設方向に向けて上下に傾斜されてなること
を特徴とする理美容用櫛。
【請求項２】
施術者が把持するための柄と、
上記柄の先端に形成された基部と、
上記基部から上方に向けて延長されてなり、複数本に亘って並設された櫛歯とを備え、
上記基部は、上記並設方向に沿って理美容用鋏の静刃を支持するための支持部が設けられ、
上記支持部は、上記基部の側面から外側へ延長された支持片であり、
上記基部の側面と上向きに延長された上記支持片との間で形成された溝に上記理美容用鋏の静刃を遊嵌又は嵌合させることにより支持可能としており、
上記溝は、上記並設方向に向けてその幅が拡縮されてなること
を特徴とする理美容用櫛。
【発明の詳細な説明】
【技術分野】
【０００１】
本発明は、主に美容師や理髪師といった施術業者が毛髪をカットする上で好適な、又は一般のユーザに毛髪のカット方法を教育する上で好適な、理美容用櫛及び理美容方法に関する。
【背景技術】
【０００２】
従来、美容師や理髪師といった施術者が毛髪をカットする場合、先ず櫛を用いて毛髪を梳かす（以下、コーミングという。）。そしてコーミングを数回行った後、鋏により毛髪をカットする。一般的な理美容用の鋏は、静刃と動刃を支軸で回動自在に結合し、交差した刃の剪断力によって毛髪を切断可能としたものである。
【０００３】
時にはこの静刃について所定の間隔で櫛状の突起を多数列設して櫛刃とすることで、毛髪をこの静刃を介して同時に梳くことも可能な構成とする場合もある。例えば特許文献１に示す開示技術では、この鋏の静刃に対して櫛を取り付けた櫛付き鋏が開示されている。この特許文献１に開示されている櫛付き鋏では、あくまで使用時において、鋏の静刃に対する櫛の位置を安定させることが可能となり、これにより毛をカットする際の使い心地を向上させることが可能となる。
【０００４】
しかしながら、この特許文献１に開示されている櫛付き鋏は、使用時において、鋏の静刃に対して櫛が固定されている状態となっている。このため、片方の手で櫛を持ち、もう片方の手で鋏を持って毛髪をカットしたい場合には、これを適用することができなくなるという問題点があった。即ち、片方の手で櫛を持ち、もう片方の手で鋏を持って毛髪をカットしたい場合において、その鋏の静刃に対する櫛の位置を安定させることが可能となり、毛髪カット時における使い心地を向上させることが可能な技術が従来より望まれていた。
【０００５】
また、将来の美容師、理容師を教育するためには、特に静刃を動かすことなく、動刃のみを動かす鋏の使用方法を体で覚えさせる必要もある。このように鋏を動かしつつ毛髪をカットするときには、もう一方の手で櫛を持ち、毛髪を梳きながらカットする場合が殆どであることから、この櫛について静刃を動かすことなく、動刃のみを動かす鋏の使用方法を習得可能な機構を設けるのが有用であるとされていた。
【先行技術文献】
【特許文献】
【０００６】
【特許文献１】特開２００８−２１２２０２号公報
【発明の概要】
【発明が解決しようとする課題】
【０００７】
そこで本発明は、上述した問題点に鑑みて案出されたものであり、その目的とするところは、その鋏の静刃に対する位置を安定させることができ、しかも静刃を動かすことなく、動刃のみを動かす鋏の使用方法を習得可能な機構が設けられた理美容用櫛、並びにこれを利用した理美容方法を提供することにある。
【課題を解決するための手段】
【０００８】
請求項１に係る理美容用櫛は、施術者が把持するための柄と、上記柄の先端に形成された基部と、上記基部から上方に向けて延長されてなり、複数本に亘って並設された櫛歯とを備え、上記基部は、上記並設方向に沿って理美容用鋏の静刃を支持するための支持部が設けられ、上記支持部は、上記基部の側面から外側へ延長された支持片であり、上記基部の側面と上向きに延長された上記支持片との間で形成された溝に上記理美容用鋏の静刃を遊嵌又は嵌合させることにより支持可能としており、上記溝は、上記並設方向に向けて上下に傾斜されてなることを特徴とする。
【０００９】
請求項２に係る理美容用櫛は、施術者が把持するための柄と、上記柄の先端に形成された基部と、上記基部から上方に向けて延長されてなり、複数本に亘って並設された櫛歯とを備え、上記基部は、上記並設方向に沿って理美容用鋏の静刃を支持するための支持部が設けられ、上記支持部は、上記基部の側面から外側へ延長された支持片であり、上記基部の側面と上向きに延長された上記支持片との間で形成された溝に上記理美容用鋏の静刃を遊嵌又は嵌合させることにより支持可能としており、上記溝は、上記並設方向に向けてその幅が拡縮されてなることを特徴とする。
【発明の効果】
【００１４】
上述した構成からなる本発明では、使用時において、鋏の静刃に対する櫛歯の位置を安定させることが可能となる。これにより、カット時において櫛歯と静刃の相対的位置関係がずれてしまうのを防止することができ、毛髪のカットを精度よく行うことが可能となる。また、この支持部を断面溝状に構成することにより、静刃が支持部４にいわゆる遊嵌された状態とすることが可能となり、鋏を持つ手から僅かに振動が伝わったときにおいても、静刃が支持部から外れてしまうのを防止することが可能となる。
【００１５】
また、上述した構成からなる本発明では、常に静刃を支持部において支持させて動刃のみを開閉させることにより毛髪をカットすることをいやおう無しに行うこととなる。このため、静刃を動かすことなく、動刃のみを動かす鋏の使用方法を体で覚えさせるための教材としても活用することが可能となり、将来の美容師、理容師を教育、更には一般家庭において毛髪をカットするための練習用教材としても応用することが可能となる。
【図面の簡単な説明】
【００１６】
【図１】本発明を適用した理美容用櫛を示す図である。
【図２】本発明を適用した理美容用櫛の他の形態を示す図である。
【図３】本発明を適用した理美容用櫛の使用状態を示す図である。
【図４】静刃とほぼ同等の径の溝からなる支持部を構成した例を示す図である。
【図５】支持部を構成する溝の底部を傾斜させて構成した例を示す図である。
【図６】支持部を構成する溝を、並設方向Ｂに向けてその幅が拡縮させた例を示す図である。
【発明を実施するための形態】
【００１７】
以下、本発明の実施の形態について詳細に説明する。図１（ａ）は、本発明を適用した理美容用櫛１の正面図を、図１（ｂ）は、そのＡ−Ａ´断面図を、図１（ｃ）は、図１（ａ）中の平面図を示している。
【００１８】
本発明を適用した理美容用櫛１は、柄５と、この柄５の先端に形成された基部２と、この基部２から上方向Ｃへと延長された複数の櫛歯３とを備えている。
【００１９】
柄５は、実際に毛髪の理美容を行う施術者が手で把持するための部位である。この柄５の先端側とは、図１のＢ方向を意味するものである。即ち、柄５の先端側に相当するＢ方向に隣接する側において基部２が形成されているものとする。この柄５には、施術者が把持しやすいように凸部又は凹部等が任意に形成されていてもよい。
【００２０】
基部２は、ポリプロピレンやポリカーボネート等の合成樹脂によって、柄５並びに櫛歯３と一体的に成形されてなる。しかし、支持部２並びに櫛歯の材料は合成樹脂に限定されるものではなく、木材や金属等その他の材料でも構成されていてもよい。
【００２１】
基部２は、図１(a)中紙面前側に側面２１ａが形成され、また紙面後側に側面２１ａと対向する側面２１ｂを有している。またこの基部２におけるＢ方向端部には、側端部２２が、さらにこの基部２のＢ方向と反対側端部には、柄５が形成されている。またこの基部２の下端には、底面部２３が形成されており、基部２の上端側には櫛歯３が複数本に亘って設けられている。
【００２２】
櫛歯３は、基部２から上方（Ｃ方向）に向けて延長されてなり、互いに複数本に亘りＢ方向に向けて並設されている。この櫛歯３は、一列に形成されてなるとともに、隣接する櫛歯３間には間隙が設けられ、互いに略平行に設けられている。なお、この櫛歯３の本数は、いかなる本数で形成されていてもよい。また、この櫛歯３の弾性率は、いかなる値で構成されていてもよく、押圧することにより容易に弾性変形可能な材料からなるようにしてもよい。
【００２３】
なお本発明を適用した理美容用櫛１では、上述の如き通常の櫛としての構成に加えて、並設方向Ｂに沿って更に支持部４が設けられていることを必須とする。以下、この支持部４の構成について説明をする。
【００２４】
支持部４は、理美容用の鋏の静刃を支持するために設けられたものである。この支持部４は、基部２における側面２１ａ側において設けられたものであるが、これに限定されるものではなく、側面２１ｂ側において設けられるものであってもよい。支持部４は、図１(b)に示すように、基部２の側面２１ａと、上向きに延長された支持片４１との間で形成された溝として構成されていてもよい。また図２に示すように、支持部４は、支持片４１を上向きに延長させる場合に限定するものではなく、水平方向に延長させるようにしてもよいし、また下向きに延長させるようにしてもよい。支持片４１のＢ方向の長さはいかなるものであってもよく、例えば櫛歯３が形成されているＢ方向の全長に亘って支持片４１が設けられていてもよいし、また櫛歯３が形成されているＢ方向の全長の一部にのみ支持片４１が設けられていてもよい。更にはＢ方向の長さの短い支持片４１を複数に亘ってＢ方向へ並設させるようにしてもよい。
【００２５】
また、この支持部４は、その形状が支持片４１のような板状のものとして構成される場合に限定されるものではなく、突起、凸部等、基部２の側面２１ａから外側に向けて突き出たものであれば如何なる形状で構成されていてもよい。
【００２６】
但し、以下の例においては支持部４を、図１(b)に示すように、基部２の側面２１ａと支持片４１との間で形成された溝として構成される場合を例にとり説明をする。図３(a)は、このような断面溝状に構成された支持部４１に鋏７の静刃７１を支持させた例を示している。支持部４が、側面２１ａと支持片４１との間で形成された溝として構成されていることから、この鋏７の静刃７１をこの溝状の支持部４に単に置くのみの動作でこれを支持させることが可能となる。図３(b)は、この鋏７の静刃７１を支持させた状態におけるＡ−Ａ´断面図を示している。この静刃７１の上端が、ちょうど櫛歯３の根元よりも上に位置するように調整されている。このような状態で動歯７２を動かした場合に、櫛歯３間において梳かれた毛髪をカットすることが可能となる。
【００２７】
このように本発明では、使用時において、鋏７の静刃７１に対する櫛歯３の位置を安定させることが可能となる。これにより、カット時において櫛歯３と静刃７１の相対的位置関係がずれてしまうのを防止することができ、毛髪のカットを精度よく行うことが可能となる。また、この支持部４を断面溝状に構成することにより、静刃７１が支持部４にいわゆる遊嵌された状態とすることが可能となり、鋏７を持つ手から僅かに振動が伝わったときにおいても、静刃７１が支持部４から外れてしまうのを防止することが可能となる。
【００２８】
また、上述した構成からなる本発明では、常に静刃７１を支持部４において支持させて動刃７２のみを開閉させることにより毛髪をカットすることをいやおう無しに行うこととなる。このため、静刃７１を動かすことなく、動刃７２のみを動かす鋏の使用方法を体で覚えさせるための教材としても活用することが可能となり、将来の美容師、理容師を教育、更には一般家庭において毛髪をカットするための練習用教材としても応用することが可能となる。
【００２９】
なお、本発明は、上述した実施の形態に限定されるものではない。上述した例では、静刃７１に対してより幅広の溝からなる支持部４を構成し、これに静刃７１を遊嵌させる場合について説明した。これに対して、図４に示すように、静刃７１とほぼ同等の径の溝からなる支持部４を構成し、これに静刃７１が動かないように強固に嵌合させて支持するようにしてもよい。これにより、鋏７を持つ手から大きな振動が伝わったときにおいても、静刃７１が支持部４から外れてしまうのを防止することが可能となり、より安定感を向上させることが可能となる。
【００３０】
また図５の例では、この支持部４を構成する溝の底部８１を傾斜させて構成した例を示している。図５(a)では、Ｂ方向に進むにつれて支持部４の溝の底部８１が上から下へ下向きに傾斜されるように構成した場合を示している。これに対して図５(b)では、Ｂ方向に進むにつれて支持部４の溝の底部８１が下から上へ上向きに傾斜されるように構成した場合を示している。特に側面視において、静刃７１のＢ方向への傾きと、櫛歯３の根元におけるＢ方向への傾きの関係を調整したい場合に、これら図５に示す形態を用いるのが好適である。
【００３１】
特に一般ユーザが鋏７を使用した場合に、静刃７１が斜めに頻繁に傾いて振動してしまう場合がある。しかし、この図５の形態のように支持部４の溝の底部８１が下から上、又は上から下へ傾斜させることにより、かかる静刃７１の接点を多くすることが可能となり、安定性を向上させることが可能となる。
【００３２】
また図６の例では、支持部４を構成する溝を、並設方向Ｂに向けてその幅が拡縮させた例を示している。図６(a)では、Ｂ方向に進むにつれて支持部４の溝を拡径させた例を示している。これに対して図６(b)では、Ｂ方向に進むにつれて支持部４の溝を縮径させた場合を示している。これにより、平面視における静刃７１のＢ方向への傾きと、櫛歯３のＢ方向への傾きの関係を調整することが可能となる。
【符号の説明】
【００３３】
１  理美容用櫛
２  基部
３  櫛歯
４  支持部
５  柄
７  鋏
２１  側面
２２  側端部
２３  底面部
４１  支持片
７１  静刃
７２  動歯                                                                        
【図１】
0005555012.tif 000002
【図２】
0005555012.tif 000003
【図３】
0005555012.tif 000004
【図４】
0005555012.tif 000005
【図５】
0005555012.tif 000006
【図６】
0005555012.tif 000007